(57)【要約】【課題】美観が損なわれることを防止するプラスチック部品、遊技機及び遊技媒体貸出機、並びに島設備を提供する。【解決手段】プラスチック部品１０は、遊技機又は遊技媒体貸出機を構成する部品である。このプラスチック部品１０は、透明又は半透明のプラスチック成型品１１の背面側に、ノンリーフィングタイプの軽金属粒子（例えば、アルミニウム粒子）を含有する軽金属塗料１２が塗装されることで、軽金属塗料層が形成されている。プラスチック成型品１１の背面は、凹凸で模様１１ａが施されている。【選択図】図３
0003179417.tif 000002
【実用新案登録請求の範囲】
【請求項１】
透明又は半透明のプラスチック成型品の背面側に、ノンリーフィングタイプの軽金属粒子を含有する軽金属塗料が塗装されることで、軽金属塗料層が形成されていることを特徴とする、
プラスチック部品。
【請求項２】
前記軽金属粒子は、アルミニウム粒子であることを特徴とする、
請求項１に記載のプラスチック部品。
【請求項３】
前記プラスチック成型品の背面は、凹凸で模様が施されていることを特徴とする、
請求項１又は２に記載のプラスチック部品。
【請求項４】
前記軽金属塗料層よりも背面側に、遮光性塗料が塗装されることで、遮光性塗料層が形成されていることを特徴とする、
請求項１〜３のいずれかに記載のプラスチック部品。
【請求項５】
前記プラスチック成型品と前記軽金属塗料層の間に、紫外線によって発色する蛍光塗料層が形成されていることを特徴とする、
請求項１〜４のいずれかに記載のプラスチック部品。
【請求項６】
前記プラスチック成型品は、第一の色を呈し、
前記蛍光塗料層は、紫外線によって、前記第一の色とは異なる第二の色で発色することを特徴とする、
請求項５に記載のプラスチック部品。
【請求項７】
請求項１〜６のいずれかに記載のプラスチック部品を備えることを特徴とする、
遊技機。
【請求項８】
請求項１〜６のいずれかに記載のプラスチック部品を備えることを特徴とする、
遊技媒体貸出機。
【請求項９】
請求項６に記載の遊技機、又は、請求項７に記載の遊技媒体貸出機を備えることを特徴とする、
島設備。
【考案の詳細な説明】
【技術分野】
【０００１】
本考案は、プラスチック部品に関し、特に、スロットマシンやパチンコ機などの遊技機を構成するプラスチック部品、遊技機及び遊技媒体貸出機、並びに島設備に関する。
【背景技術】
【０００２】
従来、スロットマシンやパチンコ機などの遊技機は、装飾部品を配置することで、装飾を施している（特許文献１参照）。装飾部品の中には、プラスチック成型品に鍍金加工を施し、金属光沢で美観をもたせることで、遊技者を惹きつけているものがある。
【先行技術文献】
【特許文献】
【０００３】
【特許文献１】特開２００１−２７６３７８号公報
【考案の概要】
【考案が解決しようとする課題】
【０００４】
しかしながら、鍍金加工された部分は、引っ掻いたりすることで容易に削れ、簡単に美観が損なわれる。このような問題は、遊技機が備える部品に限定されず、プラスチック部品全般に当てはまる。なお、鍍金には、電界鍍金と真空蒸着などがあり、特に後者の真空蒸着の方が、着色効果は良いが耐久性が弱い。前者の電界鍍金は、耐久性は強いが着色が悪い（鮮やかではない）。
【０００５】
本考案は、上記課題を鑑みてなされたものであり、美観が損なわれることを防止できるプラスチック部品、遊技機及び遊技媒体貸出機、並びに島設備を提供することを目的とする。
【課題を解決するための手段】
【０００６】
（１）本考案は、透明又は半透明のプラスチック成型品の背面側に、ノンリーフィングタイプの軽金属粒子を含有する軽金属塗料が塗装されることで、軽金属塗料層が形成されていることを特徴とする、プラスチック部品である。
【０００７】
本考案によれば、塗装された軽金属塗料は、乾燥して軽金属塗料層が形成される時に、軽金属粒子が沈み込む。すなわち、軽金属塗料層内の軽金属粒子は、プラスチック成型品寄りに配置される。これにより、プラスチック成型品の背面に鏡面が構成され、金属光沢による美観をもたせることができる。透明又は半透明のプラスチック成型品に、所望の色（例えば、赤色、青色、緑色、黄色、黒色など）をもたせておくことで、所望の色の金属光沢にすることができる。また、背面側に鏡面が構成されているので、すなわち、鏡面が表側に構成されていないので、外側から引っ掻いたりした場合であっても、美観が損なわれることはない。
【０００８】
（２）本考案はまた、前記軽金属粒子は、アルミニウム粒子であることを特徴とする、上記（１）に記載のプラスチック部品である。
【０００９】
（３）本考案はまた、前記プラスチック成型品の背面は、凹凸で模様が施されていることを特徴とする、上記（１）又は（２）に記載のプラスチック部品である。
【００１０】
上記考案によれば、凹凸の模様によって陰影ももたらされ、プラスチックの肉厚分で重厚感が創出される。また、グラデーションが創出される。これにより、美観を高めることができる。
【００１１】
（４）本考案はまた、前記軽金属塗料層よりも背面側に、遮光性塗料が塗装されることで、遮光性塗料層が形成されていることを特徴とする、上記（１）〜（３）のいずれかに記載のプラスチック部品である。
【００１２】
上記考案によれば、鏡面による反射率を高めることができ、輝きを強めることができる。これにより、美観をさらに高めることができる。また、遮光性塗料層よりも背面側に光源体がある場合には、遮光性塗料によって、困難である遮光を簡単に実現することができる。
【００１３】
（５）本考案はまた、前記プラスチック成型品と前記軽金属塗料層の間に、紫外線によって発色する蛍光塗料層が形成されていることを特徴とする、上記（１）〜（４）のいずれかに記載のプラスチック部品である。
【００１４】
上記考案によれば、紫外線（例えば、ブラックライト）の照射により、プラスチック部品を発色させることができる。これにより、美観をさらに高めることができる。
【００１５】
（６）本考案はまた、前記プラスチック成型品は、第一の色を呈し、前記蛍光塗料層は、紫外線によって、前記第一の色とは異なる第二の色で発色することを特徴とする、上記（５）に記載のプラスチック部品である。
【００１６】
上記考案によれば、紫外線が照射されていない状態において、第一の色（例えば、赤色）で視認させることができ、また、紫外線が照射されている状態において、第一の色（例えば、赤色）と第二の色（例えば、青色）を混ぜた色（例えば、赤紫色）で視認させることができる。すなわち、紫外線の照射の有無で異なる色（例えば、赤色又は赤紫色）で視認させることができる。これにより、美観をさらに高めることができる。
【００１７】
（７）本考案はまた、上記（１）〜（６）のいずれかに記載のプラスチック部品を備えることを特徴とする、遊技機である。
【００１８】
（８）本考案はまた、上記（１）〜（６）のいずれかに記載のプラスチック部品を備えることを特徴とする、遊技媒体貸出機である。
【００１９】
（９）本考案はまた、上記（７）に記載の遊技機、又は、上記（８）に記載の遊技媒体貸出機を備えることを特徴とする、島設備である。
【考案の効果】
【００２０】
本考案の上記（１）〜（６）に記載のプラスチック部品、上記（７）に記載の遊技機及び上記（８）に記載の遊技媒体貸出機、並びに上記（９）に記載の島設備よれば、美観が損なわれることを防止することができる。
【図面の簡単な説明】
【００２１】
【図１】本発明の実施形態に係るプラスチック部品を示す図であり、（Ａ）は正面図であり、（Ｂ）は側面図であり、（Ｃ）は背面図である。
【図２】製造工程を説明するプラスチック部品の側面図であり、（Ａ）は塗装前の状態を、（Ｂ）は軽金属塗料を塗装した後の状態を、（Ｃ）は遮光性塗料を塗装した後の完成した状態を、それぞれ示す。
【図３】製造工程を説明するプラスチック部品の断面図であり、（Ａ）は塗装前の状態を、（Ｂ）は軽金属塗料を塗装した後の状態を、（Ｃ）は遮光性塗料を塗装した後の完成した状態を、それぞれ示す。
【図４】本発明の別の実施形態に係るプラスチック部品の断面図である。
【考案を実施するための形態】
【００２２】
以下、図面を参照して、本考案の実施形態に係るプラスチック部品について詳細に説明する。
【００２３】
まず、図１を用いて、プラスチック部品１０の構成について説明する。図１は、プラスチック部品１０を示す図である。同図（Ａ）は、正面図である。同図（Ｂ）は、側面図である。同図（Ｃ）は、背面図である。なお、同図（Ａ）及び同図（Ｃ）において、模様１１ａを省略して図面を簡略化している。
【００２４】
図１（Ａ）〜図１（Ｃ）に示されるプラスチック部品１０は、スロットマシンやパチンコ機などの遊技機（図示省略）を構成する外装部品である。このプラスチック部品１０は、例えば、赤色で半透明のプラスチック成型品１１からなる。プラスチック成型品１１は、背面側が中空となる形状を呈する。プラスチック成型品１１の背面には、凹凸で模様１１ａ（例えば、鱗の模様）が施されている。このプラスチック成型品１１の背面には、ノンリーフィングタイプの軽金属粒子（例えば、アルミニウム粒子）を含有する軽金属塗料１２と、遮光性塗料１３と、が塗装されている。
【００２５】
軽金属塗料１２は、プラスチック成型品１１の背面に直接塗装されて、軽金属塗料層を形成する。遮光性塗料１３は、軽金属塗料層の上に重ねて塗装される。すなわち、遮光性塗料１３は、軽金属塗料層よりも背面側に塗装されることで、遮光性塗料層を形成する。
【００２６】
なお、プラスチック部品１０を備える遊技機は、遊技場の島設備（図示省略）に設置される。
【００２７】
次に、図２及び図３を用いて、プラスチック部品１０の製造工程を説明する。図２は、製造工程を説明するプラスチック部品１０の側面図である。同図（Ａ）は、塗装前の状態を示す。同図（Ｂ）は、軽金属塗料１２を塗装した後の状態を示す。同図（Ｃ）は、遮光性塗料１３を塗装した後の完成した状態を示す。図３は、製造工程を説明するプラスチック部品１０の断面図である。同図（Ａ）は、塗装前の状態を示す。同図（Ｂ）は、軽金属塗料１２を塗装した後の状態を示す。同図（Ｃ）は、遮光性塗料１３を塗装した後の完成した状態を示す。
【００２８】
まず、図２（Ａ）及び図３（Ａ）に示されるプラスチック成型品１１に対し、表側の面を治具（図示省略）でマスクしてから、背面に軽金属塗料１２を塗装する。これにより、プラスチック成型品１１の背面に軽金属塗料層が形成される（図２（Ｂ）及び図３（Ｂ）参照）。
【００２９】
そして、図２（Ｂ）及び図３（Ｂ）に示される軽金属塗料１２を塗装したプラスチック成型品１１に対し、軽金属塗料層の上に遮光性塗料１３を重ねて塗装する。これにより、プラスチック成型品１１の背面側に、軽金属塗料層の上に遮光性塗料層が形成される（図２（Ｃ）及び図３（Ｃ）参照）。これにより、プラスチック部品１０が製造される。
【００３０】
このようなプラスチック部品１０によれば、塗装された軽金属塗料１２は、乾燥して軽金属塗料層が形成される時に、軽金属粒子が沈み込む。すなわち、軽金属塗料層内の軽金属粒子は、プラスチック成型品１１寄りに配置される。これにより、プラスチック成型品の背面に鏡面が構成され、金属光沢による美観をもたせることができる。透明又は半透明のプラスチック成型品１１に、所望の色（例えば、赤色、青色、緑色、黄色、黒色など）をもたせておくことで、所望の色の金属光沢にすることができる。また、背面側に鏡面が構成されているので、すなわち、鏡面が表側に構成されていないので、外側から引っ掻いたりした場合であっても、美観が損なわれることはない。
【００３１】
そして、凹凸の模様１１ａによって陰影ももたらされ、プラスチックの肉厚分で重厚感が創出される。また、グラデーションが創出される。これにより、美観をさらに高めることができる。
【００３２】
また、軽金属塗料層よりも背面側に、遮光性塗料１３が塗装されることで、遮光性塗料層が形成されているので、鏡面による反射率を高めることができ、輝きを強めることができる。これにより、美観をさらに高めることができる。また、遮光性塗料層よりも背面側に光源体がある場合には、遮光性塗料によって、困難である遮光を簡単に実現することができる。
【００３３】
本考案は、上記実施形態に限られるものではなく、その趣旨及び技術思想を逸脱しない範囲で種々の変形が可能である。なお、各変形例は、可能な範囲で、重畳的に適用してもよい。
【００３４】
例えば、各構成の位置、大きさ、形状、材質、向き、数量、色等は適宜変更できる。例えば、プラスチック成型品１１の色は、所望の色に変更できる。また、プラスチック成型品１１は、半透明なものではなく、透明なものであってもよい。
【００３５】
あるいは、上記実施形態において、プラスチック成型品１１の背面に、凹凸で模様１１ａが施されているが、本発明はこれに限定されず、プラスチック成型品１１の背面を、フラット（鏡面状）にしてもよい。
【００３６】
あるいは、上記実施形態において、プラスチック部品１０は、遮光性塗料１３が塗装されて遮光性塗料層が形成されているが、本発明はこれに限定されず、プラスチック部品１０は、遮光性塗料１３が塗装されず、遮光性塗料層が形成されていないものであってもよい。
【００３７】
あるいは、上記実施形態において、プラスチック部品１０は、外装部品であるが、遊技者から視認することができればよく、内装部品であってもよい。
【００３８】
あるいは、上記実施形態において、プラスチック部品１０は、遊技機を構成する部品であるが、これに限定されず、球貸機やメダル貸出機などの遊技媒体貸出機を構成する部品であってもよい。あるいは、本発明のプラスチック部品は、化粧品の容器（特に、容器のキャップ）や、自動車の内外装部品など、あらゆるものに適用できる。
【００３９】
あるいは、上記実施形態において、軽金属塗料１２は、プラスチック成型品１１の背面に直接塗装されているが、これに限定されず、プラスチック成型品１１の背面に間接的に塗装されていてもよい。すなわち、プラスチック成型品１１と軽金属塗料層の間に、他の層が形成されていてもよい。
【００４０】
そこで、図４を用いて、本発明の別の実施形態に係るプラスチック部品２０を例に説明する。図４は、プラスチック部品２０の断面図である。なお、プラスチック部品２０の特徴部分のみを説明し、上記プラスチック部品１０と同様の構成、作用及び効果についての説明は適宜省略する。
【００４１】
図４に示されるプラスチック部品２０は、上記プラスチック部品１０と同様、プラスチック成型品１１からなる。プラスチック成型品１１の背面には、紫外線（例えば、ブラックライト）により発色する蛍光塗料２１が塗装されてから、その後、軽金属塗料１２と、遮光性塗料１３と、が塗装されている。
【００４２】
蛍光塗料２１は、プラスチック成型品１１の背面に直接塗装されて、蛍光塗料層を形成する。軽金属塗料１２は、蛍光塗料層の上に重ねて塗装される。すなわち、軽金属塗料１２は、プラスチック成型品１１の背面に間接的に塗装されて、軽金属塗料層を形成する。
【００４３】
このようなプラスチック部品２０によれば、紫外線（例えば、ブラックライト）の照射により、発色させることができる。これにより、美観をさらに高めることができる。
【００４４】
そして、紫外線が照射されていない状態において、第一の色（例えば、赤色）で視認させることができ、また、紫外線が照射されている状態において、第一の色（例えば、赤色）と第二の色（例えば、青色）を混ぜた色（例えば、赤紫色）で視認させることができる。すなわち、紫外線の照射の有無で異なる色（例えば、赤色又は赤紫色）で視認させることができる。これにより、美観をさらに高めることができる。
【符号の説明】
【００４５】
１０，２０  プラスチック部品
１１  プラスチック成型品
１１ａ  模様
１２  軽金属塗料
１３  遮光性塗料
２１  蛍光塗料
【図１】
0003179417.tif 000003
【図２】
0003179417.tif 000004
【図３】
0003179417.tif 000005
【図４】
0003179417.tif 000006
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
透明又は半透明のプラスチック成型品の背面側に、ノンリーフィングタイプの軽金属粒子を含有する軽金属塗料が塗装されることで、軽金属塗料層が形成されていることを特徴とする、
プラスチック部品。
【請求項２】
前記軽金属粒子は、アルミニウム粒子であることを特徴とする、
請求項１に記載のプラスチック部品。
【請求項３】
前記プラスチック成型品の背面は、凹凸で模様が施されていることを特徴とする、
請求項１又は２に記載のプラスチック部品。
【請求項４】
前記軽金属塗料層よりも背面側に、遮光性塗料が塗装されることで、遮光性塗料層が形成されていることを特徴とする、
請求項１〜３のいずれかに記載のプラスチック部品。
【請求項５】
前記プラスチック成型品と前記軽金属塗料層の間に、紫外線によって発色する蛍光塗料層が形成されていることを特徴とする、
請求項１〜４のいずれかに記載のプラスチック部品。
【請求項６】
前記プラスチック成型品は、第一の色を呈し、
前記蛍光塗料層は、紫外線によって、前記第一の色とは異なる第二の色で発色することを特徴とする、
請求項５に記載のプラスチック部品。
【請求項７】
請求項１〜６のいずれかに記載のプラスチック部品を備えることを特徴とする、
遊技機。
【請求項８】
請求項１〜６のいずれかに記載のプラスチック部品を備えることを特徴とする、
遊技媒体貸出機。
【請求項９】
遊技機及び遊技媒体貸出機を備える島設備において、
前記遊技機は請求項７に記載の遊技機であり、又は、前記遊技媒体貸出機は請求項８に記載の遊技媒体貸出機であることを特徴とする、
島設備。
【手続補正２】
【補正対象書類名】明細書
【補正対象項目名】００１９
【補正方法】変更
【補正の内容】
【００１９】
（９）本考案はまた、遊技機及び遊技媒体貸出機を備える島設備において、前記遊技機は上記（７）に記載の遊技機であり、又は、前記遊技媒体貸出機は上記（８）に記載の遊技媒体貸出機であることを特徴とする、島設備である。